(57)【特許請求の範囲】
【請求項１】
ボルト（１２）をロックするべく枢動可能に取り付けられた回転ラッチ（２０）と、
ラッチ爪（３０）と
を含む車両シート（１）用のロックユニット（１０）であって、
前記ラッチ爪（３０）は、衝突事象において前記ロックユニット（１０）のロック状態を、前記回転ラッチ（２０）を前記ラッチ爪（３０）の第１接触箇所上に支持することによって固定し、
前記回転ラッチ（２０）は、衝突事象において前記回転ラッチ（２０）が変形されると、前記ラッチ爪（３０）に設けられた第２接触箇所上に追加的に支持され、
前記ラッチ爪（３０）は、衝突事象における変形の間に前記第２接触箇所を形成するラッチ爪段部（３８）によって境界が定められるラッチ爪切り抜き部（３６）を有し、
前記回転ラッチ（２０）は、ロック状態において前記ラッチ爪切り抜き部（３６）の中に突出するラグ（２８）を有し、
前記回転ラッチ（２０）は、衝突事象における変形の間に前記第２接触箇所を形状噛み合いの態様で支承し、
前記第２接触箇所は、前記回転ラッチ（２０）の回転ラッチ歯部（２９）が、衝突事象における変形の間に噛合するようになる歯部（３９）を有するロックユニット（１０）。
【請求項２】
前記回転ラッチ（２０）は第１支承ボルト（５１）まわりに枢動可能に取り付けられ、
前記ラッチ爪（３０）は第２支承ボルト（５２）まわりに枢動可能に取り付けられ、
前記支承ボルト（５１、５２）は、ずれて平行に延びる、請求項１に記載のロックユニット（１０）。
【請求項３】
前記回転ラッチ（２０）は、衝突事象における変形の間に前記第２接触箇所において前記ラッチ爪（３０）と接触することによりさらなる回転が防止される、請求項１又は２に記載のロックユニット（１０）。
【請求項４】
前記ロック状態において付勢要素（４０）が、前記回転ラッチ（２０）に閉方向モーメントを及ぼす、請求項１から３のいずれか一項に記載のロックユニット（１０）。
【請求項５】
前記回転ラッチ（２０）及び前記ラッチ爪（３０）は、少なくとも部品的に閉じられたハウジングの中に配列される、請求項１から４のいずれか一項に記載のロックユニット（１０）。
【請求項６】
請求項１から５のいずれか一項に記載のロックユニット（１０）を少なくとも一つ含む車両シート（１）。
【発明の詳細な説明】
【技術分野】
【０００１】
本発明は、請求項１のプリアンブルの特徴を有する車両シート用ロックユニットに関する。本発明はまた、請求項６の特徴を有する車両シートにも関する。
【背景技術】
【０００２】
特許文献１は、車両シート用の対象タイプのロックユニットを開示する。このタイプのロックユニットは、ボルトとのロックを目的として枢動可能に取り付けられた回転ラッチを含む。回転ラッチは、他の枢動軸まわりに枢動可能に取り付けられたラッチ爪によってロック状態に固定される。公差補償爪と称する付勢要素が、回転ラッチに閉方向モーメントを及ぼすことにより、当該回転ラッチとボルトとの間に存在する遊びをなくす。
【０００３】
ラッチ爪及び付勢要素が、支承ボルト上で互いに隣り合って軸方向にずれて配列されるので、同じ軸まわりに枢動可能となって回転ラッチとの相互作用をする。衝突事象においては、まず、ラッチ爪のみが回転ラッチを、当該回転ラッチを当該ラッチ爪の接触箇所上に支持することによって固定する。このとき、衝突事象においてボルトが回転ラッチへ伝える衝突荷重は、当該回転ラッチのラッチ爪との接触箇所によって吸収される。
【０００４】
高い衝突荷重の事象においては、回転ラッチは、ロックユニットのハウジングを支承するようになるまで変位する。これは、衝突荷重を追加的に吸収することができる第２接触箇所を生じさせる。ボルトによる回転ラッチの変形も生じ得る。
【先行技術文献】
【特許文献】
【０００５】
【特許文献１】独国特許出願公開第１０  ２００８  ０５１  ８３２（Ａ１）号明細書
【発明の概要】
【発明が解決しようとする課題】
【０００６】
本発明は、最初に述べたタイプのロックユニットを改善するという課題に基づく。特に、車両シートの衝突時安全性を増大させるべく、衝突事象における荷重吸収能力を増大させる代替的な可能性を特定するという課題に基づく。
【課題を解決するための手段】
【０００７】
この課題は、本発明によれば、請求項１に記載の特徴を有する車両シート用ロックユニットによって解決される。個々に又は互いに組み合わせて使用できる複数の有利な進展が、従属項の主題である。
【０００８】
車両シート用の対象タイプのロックユニットは、ボルトをロックするべく枢動可能に取り付けられた回転ラッチと、ラッチ爪であって、衝突事象において当該ロックユニットのロック状態を、当該回転ラッチを当該ラッチ爪の第１接触箇所上に支持することによって固定するラッチ爪とを含む。
【０００９】
本発明によれば、衝突事象における変形の間、回転ラッチが追加的に、ラッチ爪に設けられた第２接触箇所上に支持されることが定められる。
【００１０】
衝突事象において回転ラッチが変形されているときにラッチ爪との第１接触箇所のほかに当該ラッチ爪との第２接触箇所が存在することにより、ボルトが回転ラッチへ伝える衝突荷重を２つの接触箇所によって吸収することができる。したがって、ロックユニットの荷重吸収能力が増大される。
【００１１】
ここで有利には、回転ラッチが第１支承ボルトまわりに枢動可能に取り付けられ、かつ、ラッチ爪が第２支承ボルトまわりに枢動可能に取り付けられる。２つの支承ボルトは、ずれて平行に延びる。
【００１２】
平行にずれてかつそれぞれが枢動軸を画定する２つの支承ボルトにおける回転ラッチ及びラッチ爪の幾何学的配列により、第２接触箇所が、ロックユニットのロック及びロック解除の間は存在せず、ひいてはロック及びロック解除を妨げないことを比較的簡単に保証することができる。
【００１３】
第２接触箇所は、ラッチ爪がラッチ爪切り抜き部を有する点で比較的簡単に実現可能である。ラッチ爪切り抜き部は、衝突事象における変形の間に第２接触箇所を形成するラッチ爪段部によって境界が定められる。
【００１４】
回転ラッチは、第２接触箇所との相互作用を目的として、ラグを有することが有利である。ラグは、ロック状態において、ラッチ爪切り抜き部の中に突出する。
【００１５】
回転ラッチは、衝突事象における変形の間、第２接触箇所においてラッチ爪と自己ロック式に接触することが有利である。これにより、ロックユニットが開となることが防止される。
【００１６】
本発明の有利な進展によれば、回転ラッチは、衝突事象における変形の間に第２接触箇所を形状噛み合いの態様で支承する。
【００１７】
この場合、第２接触箇所は、回転ラッチの回転ラッチ歯部が、衝突事象における変形の間に噛合するようになる歯部を有することが特に有利である。
【００１８】
これにより、ロック状態において付勢要素が回転ラッチに閉方向モーメントを及ぼす場合、回転ラッチとボルトとの間に存在する遊びをなくすことができる。
【００１９】
本発明の有利な進展によれば、回転ラッチ及びラッチ爪は、少なくとも部品的に閉じられたハウジングの中に配列される。
【００２０】
本課題は、請求項６に記載の特徴を有する車両シートによっても解決される。この車両シートは、先の請求項の一つに記載のロックユニットを少なくとも一つ含む。
【図面の簡単な説明】
【００２１】
図面に例示される有利な例の実施形態を参照して本発明が詳細に説明される。しかしながら、本発明は、上記例の実施形態に限られるわけではない。
【００２２】
【図１】ロックユニットの分解された例示を示す。
【図２】衝突事象における第１例の実施形態に係るロックユニットの部品の上面図を示す。
【図３】衝突事象における回転ラッチの変形後の、図２に係るロックユニットの部品の上面図を示す。
【図４】衝突事象における第２例の実施形態に係るロックユニットの部品の詳細な例示を示す。
【図５】車両シートの模式的な例示を示す。
【発明を実施するための形態】
【００２３】
自動車において、特に後部シートである車両シート１のバックレスト３を接続するロックユニット１０が車両構造物に設けられる。ここでバックレスト３は、使用位置から非使用位置まで枢動可能なシート部品５に取り付けられる。
【００２４】
しかしながら、ロックユニット１０はまた、異なる位置で使用することもできる。例えば、車両シート１のシート部品５を自動車フロア構造物に締結するための位置、又はドアロックにおいて使用することもできる。
【００２５】
車両内における車両シート１の配列、及び車両の慣例的な進行方向は、以下に使用される詳細な方向を画定する。地面に直交して配向される方向は以下で鉛直方向と称され、及び、鉛直方向に直交かつ進行方向に直交する方向は以下で横断方向と称される。
【００２６】
ロックユニット１０は、第１側板１６及び第２側板１８を含むロックハウジングを有する。本例では、側板１６、１８の基本表面は平坦に構成され、かつ、進行方向及び鉛直方向により画定される平面内に、すなわち横断方向に直交して配列される。各側板１６、１８は、本例では円形に設計された２つの支承孔１３を含む。
【００２７】
第１側板１６及び第２側板１８は、ボルト１２をロックする目的でボルト１２の方に向かって開口する受け入れ部を形成する。本例では、ロックユニット１０がバックレスト３に締結され、かつ、ボルト１２が車両構造物に締結される。ロックユニット１０が車両構造物に締結され、かつ、ボルト１２がバックレスト３に締結されることも考えられる。受け入れ部に受け入れられるボルト１２の部分は一般に、横断方向において水平に延びる。
【００２８】
回転ラッチ２０が第１支承ボルト５１に枢動可能に取り付けられる。そして、第１支承ボルト５１は、第１側板１６及び第２側板１８に締結される。これを目的として回転ラッチ２０は、第１支承ボルト５１が貫通する回転ラッチ孔２４を有する。さらに回転ラッチ２０は、ボルト１２との相互作用をするフック開口２１を有する。回転ラッチ２０は、第１ばね７１によって開方向に付勢される。
【００２９】
回転ラッチ２０は、フック開口２１の側方の境界を部分的に定める機能表面２２を有する。ロック状態において機能表面２２は近似的に、第１支承ボルト５１に対して平行に配列された第２支承ボルト５２の方を向き、ひいては横断方向にも同様に延びる。本例では、機能表面２２は平坦に設計されるが、例えば、円弧形状に曲がり又は凹面に設計されてもよい。
【００３０】
回転ラッチ孔２４から離れる方を向きかつ機能表面２２に対向するフック開口２１の側面において、フック開口２１は、回転ラッチ２０のラグ２８によって側方の境界が定められる。
【００３１】
回転ラッチ２０はいずれの例でも、平坦基本表面によって軸方向の境界が定められた基体を有する。機能表面２２の幅は、回転ラッチ２０の基体の厚さ、すなわち当該基体の軸方向の延びに一致する。
【００３２】
第１支承ボルト５１が、側板１６、１８の各支承孔１３の中に挿入され、かつ、側板１６、１８の基本表面に直交して当該表面から突出する。したがって第１支承ボルト５１は、横断方向において水平に延びる。本例では、好ましくは金属製の第１支承ボルト５１が、側板１６、１８に対してリベット留めされ又はかしめられる。第１支承ボルト５１は、例えば、ねじのような締結手段を受け入れるべく、中空円筒の形態に設計されることが好ましい。この締結手段によってロックユニット１０は、設置の間にバックレスト３に締結される。
【００３３】
第２支承ボルト５２もまた、側板１６、１８の各支承孔１３の中に挿入され、かつ、側板１６、１８の基本表面に対して直交して当該表面から突出する。したがって第２支承ボルト５２も同様に、横断方向において水平に延びる。本例では、好ましくは金属製の第２支承ボルト５２が、側板１６、１８に対してリベット留めされ又はかしめられる。第１支承ボルト５１と同様に第２支承ボルト５２も、例えば、ねじのような締結手段を受け入れるべく、中空円筒の形態に設計されることが好ましい。この締結手段によってロックユニット１０は、設置の間にバックレスト３に締結される。
【００３４】
付勢要素４０が、第２支承ボルト５２に枢動可能に取り付けられる。これを目的として付勢要素４０は、本例では円形の付勢要素孔４４を有する。付勢要素孔４４は、第２支承ボルト５２が貫通する。付勢要素４０は第３ばね７３によって、回転ラッチ２０に向かって付勢される。
【００３５】
回転ラッチ２０のフック開口２１がボルト１２を受け入れるロック状態において、付勢要素４０は固定要素として、第３ばね７３による付勢に起因して回転ラッチ２０に閉方向モーメントを及ぼす。これを目的として付勢要素４０は付勢表面４１を有する。付勢表面４１は、第２支承ボルト５２に対して偏心した曲面をなし、かつ、回転ラッチ２０の機能表面２２と非自己ロック式に接触する。本例では付勢表面４１は、円弧形状に曲がりかつ凸面に設計される。
【００３６】
ラッチ爪３０が、軸方向に付勢要素４０と隣接して第２支承ボルト５２に配列され、かつ、同様に第２支承ボルト５２に枢動可能に取り付けられる。すなわち、付勢要素４０と整列される。これを目的としてラッチ爪３０はラッチ爪孔３４を有する。ラッチ爪孔３４は本例では円形であり、かつ、第２支承ボルト５２が貫通する。ラッチ爪３０は第２ばね７２によって、回転ラッチ２０に向かって付勢される。
【００３７】
本例ではラッチ爪３０が第１側板１６に隣接して配列され、かつ、本例では付勢要素４０が第２側板１８に隣接して配列される。ラッチ爪３０及び付勢要素４０は、一緒に移動する目的の無負荷移動を介して、例えば、ほぞ・長穴結合の案内によって又は軸方向に突出する従動器によって結合される。
【００３８】
ラッチ爪３０はラッチ表面３１を有する。ラッチ表面３１は、付勢要素４０の付勢表面４１に隣接して配置される。ロック状態においてラッチ表面３１は、回転ラッチ２０の機能表面２２から離間して配置される。本例ではラッチ表面３１は、円弧形状に曲がりかつ凸面に設計されるが、平坦であってもよい。
【００３９】
回転ラッチ２０の基体の厚さに一致する機能表面２２の幅はまた、ラッチ爪３０の厚さ及び付勢要素４０の厚さの合計に近似的に一致する。したがって回転ラッチ２０は近似的に、ラッチ爪３０及び付勢要素４０を一緒にしたものと同じ厚さを有する。
【００４０】
ラッチ爪３０は、ラッチ爪切り抜き部３６をさらに有する。ラッチ爪切り抜き部３６は、ラッチ爪段部３８によって径方向内側の、すなわちラッチ爪孔３４の方向の境界が定められる。
【００４１】
図２は、衝突事象における第１例の実施形態に係るロックユニット１０の回転ラッチ２０及びラッチ爪３０を例示する。
【００４２】
ボルト１２はフック開口２１において、回転ラッチ２０のラグ２８を支承する。衝突事象において、回転ラッチ２０は、ボルト１２によって開方向のモーメントを受けるので、付勢要素４０（ここでは例示せず）を押し離そうとする。その結果、ラッチ爪３０のラッチ表面３１が、回転ラッチ２０の機能表面２２と接触するようになる。
【００４３】
このようにしてラッチ爪３０は、回転ラッチ２０を支持する機能を果たし、かつ、開方向への回転ラッチ２０のさらなる回転を固定要素として防止する。したがってラッチ爪３０は、回転ラッチ２０が開とならないようにする。
【００４４】
この位置において回転ラッチ２０のラグ２８は、ラッチ爪３０のラッチ爪切り抜き部３６の中へ突出するが、ラッチ爪３０とは接触していない。
【００４５】
図３は、回転ラッチ２０が変形した後の衝突事象における第１例の実施形態に係るロックユニット１０の回転ラッチ２０及びラッチ爪３０の位置を例示する。
【００４６】
比較的重度な衝突の後、回転ラッチ２０は、フック開口２１においてラグ２８を支承するボルト１２によって、さらなる開方向モーメントを受ける。しかしながら、ラッチ爪３０は、ラッチ表面３１の機能表面２２との接触ゆえに、回転ラッチ２０のさらなる回転を防止する。
【００４７】
その結果、回転ラッチ２０は、ボルト１２が動く方向に変形する。ラッチ爪３０のラッチ爪切り抜き部３６の中に突出するラグ２８の先端が、ラッチ爪３０のラッチ爪段部３８に向かって動いてラッチ爪段部３８を支承するようになる。したがって、ボルト１２が動く方向への、回転ラッチ２０のラグ２８のさらなる変形が防止される。
【００４８】
この位置において回転ラッチ２０は、ラッチ爪３０との２つの接触箇所を有する。第一に、回転ラッチ２０の機能表面２２がラッチ爪３０のラッチ表面３１を支承し、第二に、回転ラッチ２０のラグ２８の先端がラッチ爪３０のラッチ爪段部３８を支承する。
【００４９】
ボルト１２がその後、さらなる開方向モーメントを回転ラッチ２０に及ぼしても、当該モーメントは、回転ラッチ２０とラッチ爪３０との間の上記２つの接触箇所に支持される。
【００５０】
図４は、衝突事象における第２例の実施形態に係るロックユニット１０の回転ラッチ２０及びラッチ爪３０の位置を詳細な図で例示する。
【００５１】
フック開口２１から離れる方を向く、すなわち径方向外側を向く側面において、回転ラッチ２０のラグ２８は回転ラッチ歯部２９を有する。ラッチ爪３０は、衝突事象における回転ラッチ２０の回転ラッチ歯部２９との相互作用を目的として、ラッチ爪歯部３９を有する。ここでラッチ爪歯部３９は、ラッチ爪切り抜き部３６の中のラッチ爪段部３８に取り付けられる。
【００５２】
衝突事象において、回転ラッチ２０は、フック開口２１において回転ラッチ２０のラグ２８を支承するボルト１２によって開方向モーメントを受けて付勢要素４０（ここでは例示せず）を押し離そうとする。その結果、ラッチ爪３０のラッチ表面３１は、回転ラッチ２０の機能表面２２と接触するようになる。
【００５３】
この位置において、回転ラッチ２０のラグ２８は、ラッチ爪３０のラッチ爪切り抜き部３６の中に突出するが、ラッチ爪３０とは接触しない。したがって、ラッチ爪歯部３９及び回転ラッチ歯部２９は互いに離間している。
【００５４】
比較的重度な衝突の後、回転ラッチ２０は、フック開口２１においてラグ２８を支承するボルト１２によってさらなる開方向モーメントを受ける。その結果、回転ラッチ２０のラグ２８は、ボルト１２が動く方向に変形されるので、ラッチ爪３０のラッチ爪切り抜き部３６の中に突出するラグ２８の先端が、当該プロセス中、ラッチ爪３０のラッチ爪段部３８に向かって動く。
【００５５】
この位置（ここでは例示せず）において、ラッチ爪３０のラッチ爪歯部３９は、回転ラッチ２０の回転ラッチ歯部２９を支承するようになり、かつ、回転ラッチ歯部２９と噛合するようになる。したがって、ボルト１２が動く方向への、回転ラッチ２０のラグ２８のさらなる変形が防止される。
【００５６】
さらに、ラッチ爪歯部３９の回転ラッチ歯部２９との噛合により、回転ラッチ２０のラグ２８が、ラッチ爪３０のラッチ爪切り抜き部３６から引き出されることが防止される。ラッチ爪歯部３９の回転ラッチ歯部２９との噛合は、回転ラッチ２０とラッチ爪３０との追加的な形状噛み合い接続として作用する。
【００５７】
この位置（ここでは例示せず）において回転ラッチ２０は、ラッチ爪３０との２つの接触箇所を有する。第一に、回転ラッチ２０の機能表面２２がラッチ爪３０のラッチ表面３１を支承し、第二に、回転ラッチ２０の回転ラッチ歯部２９が、ラッチ爪３０のラッチ爪歯部３９と噛合するようになる。
【００５８】
ボルト１２がその後、さらなる開方向モーメントを回転ラッチ２０に及ぼしても、当該モーメントは、回転ラッチ２０とラッチ爪３０との間の上記２つの接触箇所に支持される。
【００５９】
ラッチ爪３０は、回転ラッチ２０によって伝えられる力ゆえにラッチ爪３０が変形するように構成することも考えられる。上記の意図した変形ゆえに、ラッチ爪切り抜き部３６は、回転ラッチ２０のラグ２８の２つの側面が、ラッチ爪切り抜き部３６のラッチ爪段部３８とその対向壁との間にクランプされるまで、径方向に圧縮かつ縮小される。
【００６０】
ここに記載のすべての例の実施形態において、図１に例示されるように、第１支承ボルト５１は第１滑り軸受筒６１に入れられる。第１滑り軸受筒６１もまた、中空円筒の形態に設計される。したがって第１滑り軸受筒６１は径方向において、第１支承ボルト５１と回転ラッチ２０との間に配置される。
【００６１】
図１に例示されるように、第２支承ボルト５２は第２滑り軸受筒６２に入れられる。第２滑り軸受筒６２もまた、中空円筒の形態に設計される。したがって第２滑り軸受筒６２は径方向において、第２支承ボルト５２と、ラッチ爪３０さらには付勢要素４０との間に配置される。
【００６２】
第１滑り軸受筒６１及び第２滑り軸受筒６２は、省略し又は第１支承ボルト５１及び第２支承ボルト５２と一体に形成することもできる。
【００６３】
ロックユニット１０のロック状態において、ボルト１２は、側板１６、１８によって形成される受け入れ部の中に、かつ、閉じた回転ラッチ２０のフック開口２１の中に配置される。付勢要素４０が、付勢表面４１と機能表面２２との相互作用によって回転ラッチ２０を固定する。ラッチ爪３０のラッチ表面３１は、回転ラッチ２０の機能表面２２からわずかに離間する。
【００６４】
ロックユニット１０を開にするべく、ラッチ爪３０が回転ラッチ２０から離れるように枢動される。その結果、ラッチ爪３０のラッチ表面３１は、回転ラッチ２０の機能表面２２からさらに離れる。ラッチ爪３０は、一緒に移動する結合ゆえに付勢要素４０を一緒に運んでゆくので、回転ラッチ２０はもはや固定されない。
【００６５】
第１ばね７１に係る付勢によって、回転ラッチ２０が開となる。すなわち、開方向に枢動する。第１ばね７１の付勢に対して代替的に又は追加的に、回転ラッチ２０はまた、開く目的でラッチ爪３０と又は付勢要素４０と一緒に運ばれ得る。
【００６６】
回転ラッチ２０の枢動ゆえに、フック開口２１は、側板１６、１８によって形成される受け入れ部から引き戻されてボルト１２を解放する。ボルト１２は、当該枢動方向に対向してロックユニット１０から離れるように動く。ボルト１２がフック開口１２から出ると、ロックユニット１０はロック解除状態となる。
【００６７】
上記ロック解除状態においてボルト１２が、側板１６、１８によって形成される受け入れ部の中に再び入ってフック開口２１の境界と接触するようになると、ボルト１２は回転ラッチ２０を閉位置に押し入れる。付勢要素４０は、第３ばね７３による付勢ゆえに機能表面２２に沿って動く。付勢要素４０と一緒に運ばれることにより又は第２ばね７２による付勢により、ラッチ爪３０は、ラッチ表面３１が回転ラッチ２０の機能表面２２に近づきながら、回転ラッチ２０に向かって枢動する。その後ロックユニット１０は、再びロック状態となる。
【００６８】
上記明細書、特許請求の範囲及び図面に開示された特徴は、本発明を様々な構成で実現するべく、個々又は組み合わせの双方において重要であり得る。
【符号の説明】
【００６９】
１  車両シート
３  バックレスト
５  シート部品
１０  ロックユニット
１２  ボルト
１３  支承孔
１６  第１側板
１８  第２側板
２０  回転ラッチ
２１  フック開口
２２  機能表面
２４  回転ラッチ孔
２８  ラグ
２９  回転ラッチ歯部
３０  ラッチ爪
３１  ラッチ表面
３４  ラッチ爪孔
３６  ラッチ爪切り抜き部
３８  ラッチ爪段部
３９  ラッチ爪歯部
４０  付勢要素
４１  付勢表面
４４  付勢要素孔
５１  第１支承ボルト
５２  第２支承ボルト
６１  第１滑り軸受筒
６２  第２滑り軸受筒
７１  第１ばね
７２  第２ばね
７３  第３ばね
【図１】
0005865521.tif 000002
【図２】
0005865521.tif 000003
【図３】
0005865521.tif 000004
【図４】
0005865521.tif 000005
【図５】
0005865521.tif 000006